(57)【要約】【課題】従来のサイクロン式集塵装置において誤って取付け係合部を回動させてしまうと即座にカバー部と集塵容器（ダストボックス本体）が分離され、集塵容器（ダストボックス本体）を床面に落として破損させてしまうという課題があった。【解決手段】ダストボックス本体８の上面を塞ぐように構成されたカバー１１を引掛け部１４と回動レバー１５からなる尾錠でカバー１１の爪部１１ａに引掛けてダストボックス本体８と締結係合させると共に前記回動レバー１５を軸支するＵ字溝６２をダストボックス本体８上面の取付け部８ａに形成したことにより、引掛け部１４と回動レバー１５からなる尾錠に外力が加わった場合には、Ｕ字溝６２から回動レバー１５の軸１５ａが外れることで引掛け部１４と回動レバー１５からなる尾錠が破損したり、ダストボックス本体８上面の取付け部８ａが破損したりするのを防止することができる。【選択図】図１０
2013034751.tif 000002
【特許請求の範囲】
【請求項１】
略円筒状のダストボックス本体内に、略円筒状の一次フィルターを同心状に配置して、前記ダストボックス本体内面と前記一次フィルターの外周面との間にサイクロン空間を形成し、前記ダストボックス本体の上面を塞ぐように構成されたカバーを引掛け部と回動レバーからなる尾錠でカバーの爪部に引掛けてダストボックス本体と締結係合させると共に前記回動レバーを軸支するＵ字溝をダストボックス本体上面の取付け部に形成したことを特徴とする集塵装置。
【請求項２】
上記回動レバーを軸支するＵ字溝の開口部を奥よりも狭めたことを特徴とする請求項１に記載の集塵装置。
【請求項３】
上記回動レバーを軸支するＵ字溝を上記ダストボックス本体取付け部の外周方向に向けて開口させたことを特徴とする請求項１または２に記載の集塵装置。
【請求項４】
上記回動レバーを軸支するＵ字溝を上記ダストボックス本体取付け部の上方向に向けて開口させたことを特徴とする請求項１または２に記載の集塵装置。
【請求項５】
上記回動レバーを軸支するＵ字溝を上記ダストボックス本体取付け部の下方向に向けて開口させたことを特徴とする請求項１または２に記載の集塵装置。
【請求項６】
前記集塵装置を備えた請求項１〜５のいずれか１項に記載の電気掃除機。
【発明の詳細な説明】
【技術分野】
【０００１】
本発明は集塵装置に関するもので、特に、電気掃除機の集塵装置に関するものである。
【背景技術】
【０００２】
近年のサイクロン式掃除機の集塵装置は、カバー部の下方に内筒を有した内筒部が取り付けられ円筒状の集塵容器（ダストボックス本体）は内筒部の下方に取り付けられて、内筒が集塵容器内に同軸に配されている。カバー部の下部の周面には内筒部に係合して内筒部を保持する保持部Ａ、Ｂが対向して設けられている。内筒部の外周面にはカバー部の保持部Ａ、Ｂに係合する取付係合部Ａ、Ｂが対向して設けられている。一方、取付係合部Ｂは回動自在に形成され、取付係合部Ａを保持部Ａに係合し、取付係合部Ｂが回動して保持部Ｂに係合する。これにより、内筒部がカバー部に取り付けられる。また、取付係合部Ｂを手動で回動させることにより、内筒部をカバー部から脱着することができる構成としていた（例えば、特許文献１参照）。
【先行技術文献】
【特許文献】
【０００３】
【特許文献１】特開２０１１−７８４６１号公報
【発明の概要】
【発明が解決しようとする課題】
【０００４】
しかしながら上記構成だけでは、誤って取付係合部Ｂを回動させてしまうと即座にカバー部と集塵容器（ダストボックス本体）が分離されることとなり、カバー部と集塵容器（ダストボックス本体）が分離して集塵容器（ダストボックス本体）を床面に落として破損させてしまうという問題を有していた。
【０００５】
そこで本発明はこのような課題を解決するためになされたものであり、誤って回動レバー（取付係合部Ｂ）を回動させても即座にカバーとダストボックス本体が分離されることを防止し、誤って回動レバーを回動させてしまいカバーとダストボックス本体が分離してダストボックス本体を床面に落として破損させてしまうことを防止すると共に、引掛け部と回動レバーからなる尾錠に外力が加わった場合には、Ｕ字溝から回動レバーの軸が外れることで引掛け部と回動レバーからなる尾錠が破損したり、ダストボックス本体上面の取付け部が破損したりするのを防止することが出来る使い勝手のよい集塵装置もしくは電気掃除機を提供することを目的とする。
【課題を解決するための手段】
【０００６】
略円筒状のダストボックス本体内に、略円筒状の一次フィルターを同心状に配置して、前記ダストボックス本体内面と前記一次フィルターの外周面との間にサイクロン空間を形成し、前記ダストボックス本体の上面を塞ぐように構成されたカバーを引掛け部と回動レバーからなる尾錠でカバーの爪部に引掛けてダストボックス本体と締結係合させると共に前記回動レバーを軸支するＵ字溝をダストボックス本体上面の取付け部に形成したことにより、前記回動レバーを回動させて引掛け部とカバー爪部の締結係合を解除させても、この時点では引掛け部とカバーの爪部の締結係合だけが解除されるだけで、引掛け部と爪部の引っ掛りは継続されたままとなりカバーにダストボックス本体は引っ掛った状態となる。
【０００７】
この状態から更に引掛け部をカバーの爪部から取り外して初めてカバーとダストボックス本体は分離される。つまり、誤って回動レバーを回動させても即座にカバーとダストボ
ックス本体が分離されることを防止し、誤って回動レバーを回動させてしまいカバーとダストボックス本体が分離してダストボックス本体を床面に落として破損させてしまうことを防止することが出来る。
【０００８】
また回動レバーを軸支するＵ字溝をダストボックス本体上面の取付け部に形成したことにより、引掛け部と回動レバーからなる尾錠に外力が加わった場合には、Ｕ字溝から回動レバーの軸が外れることで引掛け部と回動レバーからなる尾錠が破損したり、ダストボックス本体上面の取付け部が破損したりするのを防止することができる。外れた回動レバーの軸をダストボックス本体上面取付け部のＵ字溝に再取り付けすることで機能障害を起こすことなく再使用することが出来る。
【発明の効果】
【０００９】
本発明のサイクロン式集塵装置によれば、誤って回動レバーを回動させてしまいカバーとダストボックス本体が分離してダストボックス本体を床面に落として破損させてしまうことを防止することが出来る。
【図面の簡単な説明】
【００１０】
【図１】本発明の実施の形態１における集塵装置を備えた電気掃除機の全体斜視図
【図２】同集塵装置の斜め前方からの斜視図
【図３】同集塵装置の斜め後方からの斜視図
【図４】同集塵装置の内部構成を示す斜視図
【図５】同集塵装置の図３におけるＢ−Ｂ断面図
【図６】同集塵装置の図２におけるＡ−Ａ断面図
【図７】同集塵装置の図６におけるＣ−Ｃ断面図
【図８】同集塵装置の引掛け部と回動レバーの動作を示す図３におけるＢ−Ｂ断面図
【図９】同集塵装置の引掛け部と回動レバーの動作を示す図３におけるＢ−Ｂ断面図
【図１０】同集塵装置のＵ字溝から回動レバーの軸が外れる動作を示した部分拡大図
【図１１】実施の形態２におけるＵ字溝から回動レバーの軸が外れる動作を示した部分拡大図
【図１２】実施の形態３におけるＵ字溝から回動レバーの軸が外れる動作を示した部分拡大図
【発明を実施するための形態】
【００１１】
第１の発明は、略円筒状のダストボックス本体内に、略円筒状の一次フィルターを同心状に配置して、前記ダストボックス本体内面と前記一次フィルターの外周面との間にサイクロン空間を形成し、前記ダストボックス本体の上面を塞ぐように構成されたカバーを引掛け部と回動レバーからなる尾錠でカバーの爪部に引掛けてダストボックス本体と締結係合させると共に前記回動レバーを軸支するＵ字溝をダストボックス本体上面の取付け部に形成したことにより、前記回動レバーを回動させて引掛け部とカバー爪部の締結係合を解除させても、この時点では引掛け部とカバーの爪部の締結係合だけが解除されるだけで、引掛け部と爪部の引っ掛りは継続されたままとなりカバーにダストボックス本体は引っ掛った状態となる。
この状態から更に引掛け部をカバーの爪部から取り外して初めてカバーとダストボックス本体は分離される。つまり、誤って回動レバーを回動させても即座にカバーとダストボックス本体が分離されることを防止し、誤って回動レバーを回動させてしまいカバーとダストボックス本体が分離してダストボックス本体を床面に落として破損させてしまうことを防止することが出来る。
【００１２】
また回動レバーを軸支するＵ字溝をダストボックス本体上面の取付け部に形成したことにより、引掛け部と回動レバーからなる尾錠に外力が加わった場合には、Ｕ字溝から回動
レバーの軸が外れることで引掛け部と回動レバーからなる尾錠が破損したり、ダストボックス本体上面の取付け部が破損したりするのを防止することができる。外れた回動レバーの軸をダストボックス本体上面取付け部のＵ字溝に再取り付けすることで機能障害を起こすことなく再使用することが出来る。
【００１３】
第２の発明は、上記回動レバーを軸支するＵ字溝の開口部を奥よりも狭めたことにより、通常使用時には回動レバーの軸はダストボックス本体上面取付け部のＵ字溝に取り付けられ抜けたり、外れたりすることなく軸支されているが、引掛け部と回動レバーからなる尾錠に外力が加わった場合には、狭められたＵ字溝の開口部を回動レバーの軸が押し広げることでＵ字溝から回動レバーの軸が外れ、引掛け部と回動レバーからなる尾錠が破損したり、ダストボックス本体上面の取付け部が破損したりするのを防止することができる。また、外れた回動レバーの軸をダストボックス本体上面取付け部の狭められたＵ字溝の開口部を回動レバーの軸で押し広げてＵ字溝に再取り付けすることで機能障害を起こすことなく再使用することができる。
【００１４】
第３の発明は、上記回動レバーを軸支するＵ字溝を上記ダストボックス本体取付け部の外周方向に向けて開口させたことにより、引掛け部と回動レバーからなる尾錠に外力が加わった場合、特にはダストボックス本体の外周方向に向けた外力や上方から外力が加わった場合、Ｕ字溝から回動レバーの軸が外れることで引掛け部と回動レバーからなる尾錠が破損したり、ダストボックス本体上面の取付け部が破損したりするのを防止することができる。また、外れた回動レバーの軸をダストボックス本体上面取付け部のＵ字溝に再取り付けすることで機能障害を起こすことなく再使用することができる。
【００１５】
第４の発明は、上記回動レバーを軸支するＵ字溝を上記ダストボックス本体取付け部の上方向に向けて開口させたことにより、引掛け部と回動レバーからなる尾錠に外力が加わった場合、特にはダストボックス本体の内周方向に向けた外力や下方から外力が加わった場合、Ｕ字溝から回動レバーの軸が外れることで引掛け部と回動レバーからなる尾錠が破損したり、ダストボックス本体上面の取付け部が破損したりするのを防止することができる。また、外れた回動レバーの軸をダストボックス本体上面取付け部のＵ字溝に再取り付けすることで機能障害を起こすことなく再使用することができる。
【００１６】
第５の発明は、上記回動レバーを軸支するＵ字溝を上記ダストボックス本体取付け部の下方向に向けて開口させたことにより、引掛け部と回動レバーからなる尾錠に外力が加わった場合、特にはダストボックス本体の外周方向に向けた外力や上方から外力が加わった場合、Ｕ字溝から回動レバーの軸が外れることで引掛け部と回動レバーからなる尾錠が破損したり、ダストボックス本体上面の取付け部が破損したりするのを防止することができる。また、外れた回動レバーの軸をダストボックス本体上面取付け部のＵ字溝に再取り付けすることで機能障害を起こすことなく再使用することができる。
【００１７】
第６の発明は、前記１〜５に記載の集塵装置を備えた電気掃除機とすることで、使い勝手のよい電気掃除機を提供することができる。
以下、本発明の実施の形態について、図面を参照しながら説明する。なお、この実施の形態によってこの発明が限定されるものではない。
【００１８】
（実施の形態１）
本発明の第１の実施の形態における集塵装置を用いた電気掃除機について、図１〜７を用いて説明する。図１は、本発明の実施の形態１における集塵装置を備えた電気掃除機の全体斜視図、図２は同集塵装置の斜視図、図３は同集塵装置の後方斜視図、図４は同集塵装置の内部構成を示す斜視図、図５は図３のＢ−Ｂ断面図、図６は図２のＡ−Ａ断面図、図７は図６のＣ−Ｃ断面図である。
【００１９】
本実施の形態における集塵装置を用いた電気掃除機は、掃除機本体１と、掃除機本体１の前方に設けた吸入口１ａに接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６が内蔵されて、塵埃を集塵する集塵装置７が取り付けられている。
【００２０】
集塵装置７は図２に示すように、構成部品を大きく分けると、外郭はダストボックス本体８と、ダストボックス本体８の上面を塞ぐように構成されたカバー１１と、カバー１１に備え付けられたハンドル１０と、ダストボックス本体８の下面を塞ぐように設けられたフタ９とから構成される。
【００２１】
フタ９は、ダストボックス本体８に設けたヒンジ部１３で回動可能で、尾錠１８でダストボックス本体８に係止されている。またフタ９に取り付けられたパッキンＤ２９によってダストボックス本体８とエアータイト（気密性保持）される。
【００２２】
図５に示すように、フタ９は尾錠１８が回動することでロックが外れて、開閉できる構成となっており、押しレバー１２を押すとスライダー４７が下がることで尾錠１８が開き、フタ９が開放される。なおカバー１１は引掛け部１４と回動レバー１５からなる尾錠でダストボックス本体８と締結係合されている。
【００２３】
操作としてまず、カバー１１の爪部１１ａに引掛け部１４を引っ掛けて、次に回動レバー１５を回動させて引掛け部１４とカバー１１の爪部１１ａの締結係合を行うことで、カバー１１とダストボックス本体８とを締結係合させている。また、その逆の操作としてまず、回動レバー１５を回動させて引掛け部１４とカバー１１の爪部１１ａの締結係合を解除させ、次にこの状態から更に引掛け部１４をカバー１１の爪部１１ａから取り外して初めてカバー１１とダストボックス本体８は分離される。
【００２４】
上記引掛け部１４と回動レバー１５からなる尾錠は、略円筒状のダストボックス本体８上面の相対する２箇所に配設されており、ダストボックス本体８上面の取付け部８ａ上面にカバー１１の爪部１１ａの下端を載せ位置合わせをしている。
【００２５】
ここで、ダストボックス本体８の上面を塞ぐように構成されたカバー１１を引掛け部１４と回動レバー１５からなる尾錠でカバー１１の爪部１１ａに引掛けてダストボックス本体８と締結係合させたことにより、回動レバー１５を回動させて引掛け部１４とカバー１１の爪部１１ａの締結係合を解除させても、この時点では引掛け部１４とカバー１１の爪部１１ａの締結係合だけが解除されるだけで、引掛け部１４と爪部１１ａの引っ掛りは継続されたままとなりカバー１１にダストボックス本体８は引っ掛った状態となる。
【００２６】
この状態から更に引掛け部１４をカバー１１の爪部１１ａから手で取り外して初めてカバー１１とダストボックス本体８は分離される。つまり、誤って回動レバー１５を回動させても即座にカバー１１とダストボックス本体８が分離されることを防止し、誤って回動レバー１５を回動させてしまいカバー１１とダストボックス本体８が分離してダストボックス本体８を床面に落として破損させてしまうことを防止することが出来るものである。
【００２７】
また、上記引掛け部１４と回動レバー１５からなる尾錠は、略円筒状のダストボックス本体８上面の相対する２箇所に配設されており、引掛け部１４と回動レバー１５からなる尾錠を略円筒状のダストボックス本体８上面の相対する２箇所に配設したことにより、片方の回動レバー１５を誤って回動させても、もう片方の引掛け部１４と回動レバー１５からなる尾錠でカバー１１とダストボックス本体８との締結係合は継続されたままとなり、
誤って回動レバー１５を回動させてしまいカバー１１とダストボックス本体８が分離してダストボックス本体８を床面に落として破損させてしまうことを更により一層防ぐことができるものである。
【００２８】
また、上記引掛け部と回動レバーからなる尾錠を略円筒状のダストボックス本体上面に複数形成した場合には、一箇所の回動レバー１５を誤って回動させても他の引掛け部と回動レバーからなる尾錠でカバー１１とダストボックス本体８との締結係合は継続されたままとなり、誤って回動レバー１５を回動させてしまいカバー１１とダストボックス本体８が分離してダストボックス本体８を床面に落として破損させてしまうことを更により一層防ぐことができる。
【００２９】
また、上記引掛け部１４と回動レバー１５からなる尾錠を配設した略円筒状のダストボックス本体８上面の取付け部８ａ上面にカバー１１の爪部１１ａの下端を載せたことにより、ダストボックス本体８上面の取付け部８ａ上面の座にカバー１１から突出した爪部１１ａの下端の座を載せることでダストボックス本体８とカバー１１の位置合せを容易にし、ダストボックス本体８へのカバー１１の取付け操作を容易且つ楽にすることが出来るものである。
【００３０】
また、回動レバー１５を軸支するＵ字溝６２をダストボックス本体８上面の取付け部８ａに形成したことにより、引掛け部１４と回動レバー１５からなる尾錠に外力が加わった場合には、Ｕ字溝６２から回動レバー１５の軸１５ａが外れることで引掛け部と回動レバー１５からなる尾錠が破損したり、ダストボックス本体８上面の取付け部８ａが破損したりするのを防止することができる。そして外れた回動レバー１５の軸１５ａをダストボックス本体８上面取付け部８ａのＵ字溝６２に再取り付けすることで機能障害を起こすことなく再使用することが出来るものである。
【００３１】
また、回動レバー１５を軸支するＵ字溝６２の開口部は、Ｕ字溝６２の奥よりも狭めた寸法に形成されており、通常使用時には回動レバー１５の軸１５ａはダストボックス本体８上面取付け部８ａのＵ字溝６２から抜けたり、外れたりすることなく軸支されているが、引掛け部１４と回動レバー１５からなる尾錠に外力が加わった場合には、狭められたＵ字溝６２の開口部を回動レバー１５の軸１５ａが押し広げることでＵ字溝６２から回動レバー１５の軸１５ａが外れ、引掛け部１４と回動レバー１５からなる尾錠が破損したり、ダストボックス本体８上面の取付け部８ａが破損したりするのを防止することができるものである。
【００３２】
そして外れた回動レバー１５の軸１５ａをダストボックス本体８上面取付け部８ａの狭められたＵ字溝６２の開口部を回動レバー１５の軸１５ａで押し広げてＵ字溝６２に再取り付けすることで機能障害を起こすことなく再使用することができるものである。
【００３３】
ここで、図１０に示すように回動レバー１５を軸支するＵ字溝６２がダストボックス本体８取付け部８ａの外周方向に向けて開口されているため、引掛け部１４と回動レバー１５からなる尾錠に外力が加わった場合、特にはダストボックス本体８の外周方向に向けた外力や上方からの外力が加わった場合に、Ｕ字溝６２から回動レバー１５の軸１５ａが外れることで引掛け部１４と回動レバー１５からなる尾錠が破損したり、ダストボックス本体８上面の取付け部８ａが破損したりするのを防止することができるものである。
【００３４】
ダストボックス本体８内には、図５に示すように、その略同心状に一次フィルター２１が設けられ、一次フィルター２１の下方に、傘状の延出部２２が爪による勘合、または溶着などの手段により、一次フィルター２１の取り付け枠５７に取り付けられている。
【００３５】
一次フィルター２１の上方にはプリーツ状に形成された二次フィルター２３が設けられ、更にその上方には、二次フィルター２３に蓄積した塵埃を振動などの手段により落とすための除塵部２４や、除塵部２４に振動を与える手段となるモーター部２５を備えている。
【００３６】
一次フィルター２１は金属材料で構成しており、金属表面部分には樹脂などによる凹凸形状を設けない構成とすることで、旋回流が滑らかに流れることになり、分離効率を高めるとともに、塵埃などの巻きつきを軽減する効果を発揮する。なお、一次フィルター２１の表面に研磨処理を施すことによって、その効果を高めることができ、また抗菌処理を施すことによって、一次フィルター２１を清潔に保つことができる。
【００３７】
吸込具５から吸い込まれる塵埃の混じった空気は、掃除機本体１の前方に設けた吸入口１ａを経由して、図３に示すダストボックス本体８に設けた吸気口Ｂ１７に吸い込まれる。
【００３８】
吸気口Ｂ１７に吸い込まれた空気は一次フィルター２１の外周とダストボックス本体８で形成されるサイクロン空間３１に流れ、そこに発生する旋回流により綿ごみを主とした塵埃と細塵を含んだ空気とに遠心分離される。綿ごみを主とした塵埃は、延出部２２とダストボックス本体８間に形成される集塵通路３２を通り塵埃蓄積空間部５２へと蓄積されていく。
【００３９】
ここでサイクロン空間３１の幅Ｌ１は、集塵通路３２の幅Ｌ２より大きくなっている。そして塵埃蓄積空間部５２の内径Ｒ４は、サイクロン空間の内径Ｒ３より大きくなっており、ダストボックス本体８は延出部２２の形状に合わせて広がる傾斜部５３を有している。
【００４０】
延出部２２の上端は傾斜部５３より上方の位置にあり、また延出部２２の下端は傾斜部５３より下方の位置にある。この構成により、サイクロン空間３１から塵埃蓄積空間部５２に向けて、押さえつける力が発生し、塵埃蓄積空間部５２に蓄積された塵埃のサイクロン空間への舞い上がりを防止している。なお延出部２２の下端は傾斜部５３より下方の位置にあるとしたが、傾斜部５３にかかっていて同様の効果が得られる。
【００４１】
また、延出部２２とダストボックス本体８の傾斜部５３は、フタ９側から見てれば垂直上方に天井壁を形成したような構成となるので、塵埃蓄積空間部５２へ蓄積された綿ごみを主とした塵埃は、サイクロン空間３１へ舞い戻りにくくなり、集塵効率を高めることができるようになっている。
【００４２】
延出部２２の斜面５８とダストボックス本体８の傾斜部５３は略平行になるようにしており、旋回流の乱れを軽減し塵埃蓄積空間部５２からサイクロン空間３１への舞い戻りを防ぐとともに、塵埃が集塵通路３２に詰まるのを防ぐことが出来る。なお略平行を保ったまま延出部２２の上端の位置を上下に変化させることによって、集塵通路の５３の幅Ｌ２の調整が可能で、幅Ｌ２が下方にいくにつれ徐々に広くしたり、狭くしたりすることが可能である。
【００４３】
なお塵埃蓄積空間部５２に向かうにつれて集塵通路３２の幅Ｌ２が広くなるようすれば、傾斜部５３の傾斜を緩やかにすることができるので、集塵装置７の高さ寸法を低く保つことが出来るのでコンパクトな構成となる。更に、塵埃蓄積空間部５２に向かうにつれて集塵通路３２の幅Ｌ２が徐々に狭くなるように構成すれば、塵埃蓄積空間部５２方向に押し付ける力が大きくなり、塵埃蓄積空間部５２の塵埃がサイクロン空間３１へ舞い戻るのをより抑制することが出来る。
【００４４】
サイクロン空間３１の内径Ｒ３は、延出部２２の最大外径Ｒ２より大きくなっている。これにより、一次フィルター２１と延出部２２を一部品として構成したとしても、ダストボックス本体８の上方からの抜き差しが可能となるので組み立て性に優れている。
【００４５】
また、ダストボックス本体８および延出部２２は少なくともその一部が透明材料で構成されており、塵埃蓄積空間部５２や延出部２２の傘状内部に蓄積した塵埃の量も確認できるので、ユーザーがごみ捨ての時期を判断しやすくなっている。
【００４６】
なお、本実施形態では、延出部２２はその斜面５８の下端から垂直方向に延びるフランジ５９を備えている。これにより塵埃蓄積空間部５２内の塵埃が圧縮されサイクロン空間３１への舞い戻りを防ぐとともに、集塵性能を高めることが出来る。
【００４７】
ところで、サイクロン空間３１で細塵に分離された空気は、一次フィルター２１を通過し、二次フィルター２３によって細塵が濾過される。そして、細塵を含まない空気のみが二次フィルター２３を通過し吸気口Ａ１６を通過し、電動送風機６に吸引される。
【００４８】
二次フィルター２３に堆積した細塵は、電動送風機６の運転が停止中の時に、二次フィルター２３の上方に設けられた除塵部２４にモーター部２５により振動が与えられることによって、二次フィルター２３から剥離する。そして剥離した細塵は、一次フィルター取り付け枠５７より内側の空間を通り、一次フィルター２１下方でかつ延出部２２の内側に設けた、内筒３３へと蓄積される。
【００４９】
内筒３３の上部は、剥離した細塵を内筒３３の底部へ導きやすくするために傾斜形状となっている。内筒３３の内側には返り５５が設けられ、集塵装置７の上下を逆さまにされた場合であっても、内筒３３に蓄積した細塵が再び二次フィルター２３側に戻って、再付着するのを防いでいる。内筒３３は、一次フィルター２１と連通しており、開口した下端はフタ９に設けられたパッキンＥ３０により塵埃蓄積空間部５２と隔離されている。
【００５０】
一次フィルター取り付け枠５７の一次フィルター２１より上方の径は、一次フィルターの外径Ｒ１より大きく、かつサイクロン空間３１を形成するダストボックス本体８の外壁５４の内径Ｒ３よりも大きくなっている。一次フィルター取り付け枠５７はダストボックス本体８の上方から挿入され、パッキンＢ２７で保持リブ５６と圧接して保持される。
【００５１】
二次フィルター２３は、一次フィルター２１上方に設けられ、二次フィルター２３の外周にはそれぞれパッキンＡ２６とパッキンＢ２７が取り付けられており、一次フィルター取り付け枠５７に対して、それぞれ防振およびエアータイトの役割を果たしている。二次フィルター２３の外径は、一次フィルター２１の外径Ｒ１より大きくなっており、空気の流通抵抗を極力減らす構成となっている。これに従い、ダストボックス本体８の上部の外径は、サイクロン空間を形成する外壁５４の内径Ｒ４より大きなっている。すなわちダストボックス本体８は、全体的にみれば、くびれ形状を有していることになる。
【００５２】
次に、二次フィルター２３の除塵について説明する。図５、６に示すように、除塵部２４は軸部４３によって除塵板４４とレール４１がビスなどの連結手段により連結されることで構成されている。モーター部２５はモーター４０の回転軸に取り付けられたクランクシャフト３７がコンロッド３８を介してリニア振動子３９と連結しており、これらをモーターカバー３５とモーターケース３６で囲われており、ケース体４６にビス等の連結手段によって取り付けられている。
【００５３】
モーター４０はケース体４６に取り付けられた電気基盤４９とつながっており、電気基
盤４９に配設されたコンデンサ４８が掃除機本体１側に設けた充電手段によって端子１９を介して充電され、スイッチ３４によってコンデンサ４８に蓄積された電流を放電してモーター４０を回転させ、リニア振動子３９が振動する。リニア振動子３９はレール４１に接続されており、振動（図５の矢印で示すような左右方向の振動）を除塵板４４に伝えることによって二次フィルター２３に振動を与えて蓄積した細塵を剥離させることができる。
【００５４】
ケース体４６は、内壁４５とビス等の連結手段によりカバー１１に連結されており、レール４１をケース体４６と内壁４５に設けられたレール保持部４２とで挟むことで保持されている。
【００５５】
（実施の形態２）
本発明の第２の実施の形態について、図１１を用いて説明する。なお、実施の形態１と同一部分については同一符号を付してその説明を省略する。
【００５６】
図１１において６２は、回動レバー１５を軸支するＵ字溝でダストボックス本体８取付け部８ａの上方向に向けて開口されているため、引掛け部１４と回動レバー１５からなる尾錠に外力が加わった場合、特にはダストボックス本体８の内周方向に向けた外力や下方から外力が加わった場合に、Ｕ字溝６２から回動レバー１５の軸１５ａが外れることで引掛け部１４と回動レバー１５からなる尾錠が破損したり、ダストボックス本体８上面の取付け部８ａが破損したりするのを防止することができるものである。
【００５７】
（実施の形態３）
本発明の第２の実施の形態について、図１２を用いて説明する。なお、実施の形態１と同一部分については同一符号を付してその説明を省略する。
【００５８】
図１２において６２は、回動レバー１５を軸支するＵ字溝でダストボックス本体８取付け部８ａの下方向に向けて開口されているため、引掛け部１４と回動レバー１５からなる尾錠に外力が加わった場合、特にはダストボックス本体８の外周方向に向けた外力や上方から外力が加わった場合に、Ｕ字溝６２から回動レバー１５の軸１５ａが外れることで引掛け部１４と回動レバー１５からなる尾錠が破損したり、ダストボックス本体８上面の取付け部８ａが破損したりするのを防止することができるものである。
【００５９】
なお、上記実施の形態では、ダストボックス本体８や延出部２２は円筒状と説明したが、図６に示すように、他部品との関係で、円筒状の一部が形成されない場合であっても、作用や効果の点は同じである。
【産業上の利用可能性】
【００６０】
以上のように、本発明に係る集塵装置は、塵埃をサイクロン式分離という原理に基づいて収集する集塵装置において、誤って回動レバーを回動させてしまいカバーとダストボックス本体が分離してダストボックス本体を床面に落として破損させてしまうことを防止することができるので、家庭用や業務用の電気掃除機等に適用できる。
【符号の説明】
【００６１】
１  掃除機本体
６  電動送風機
７  集塵装置
８  ダストボックス本体
８ａ  取付け部
９  フタ
１１  カバー
１１ａ  爪部
１４  引掛け部
１５  回動レバー
１５ａ  軸
２１  一次フィルター
２２  延出部
２３  二次フィルター
２４  除塵部
３１  サイクロン空間
３２  集塵通路
３３  内筒
５２  塵埃蓄積空間部
５３  傾斜部
５５  返り
５７  取り付け枠
５８  斜面
５９  フランジ
６２  Ｕ字溝
【図１】
2013034751.tif 000003
【図２】
2013034751.tif 000004
【図３】
2013034751.tif 000005
【図４】
2013034751.tif 000006
【図５】
2013034751.tif 000007
【図６】
2013034751.tif 000008
【図７】
2013034751.tif 000009
【図８】
2013034751.tif 000010
【図９】
2013034751.tif 000011
【図１０】
2013034751.tif 000012
【図１１】
2013034751.tif 000013
【図１２】
2013034751.tif 000014